(57)【要約】【課題】複数枚の連続画像読み取りの途中で、コンタクトガラス上に異物付着部が発生した場合、後続の原稿に対応する画像をシート上に形成した際に、シートに縦筋が発生しないようにする。【解決手段】流し読みする原稿Ｇの先端側検知部Ｇ１及び後端側検知部Ｇ２の双方において、ＣＣＤ１４の受光量が閾値Ｈｂ未満の箇所があり（Ｓ３，Ｓ７の「ＹＥＳ」）かつその位置が一致する場合には（Ｓ１０の「ＹＥＳ」）には、コンタクトガラス１８ａ上に異物付着部ｔが発生したものと見なし、対応するＬＥＤ素子Ｌ１６，Ｌ１７の発光量を増加させて、受光量が閾値Ｈｂ異常となるようにする。【選択図】図７
2009124202.tif 000002
【特許請求の範囲】
【請求項１】
光透過性のコンタクト部材上に主走査方向に設定された読取ライン上を原稿の画像面が副走査方向に通過する際に、光源から光を照射し、その反射光を結像レンズを通して固体撮像素子で受光して画像を読み取る画像読取装置において、
前記主走査方向にライン状に整列されて前記光源を構成するとともに、発光量を個別に制御可能な複数の光源素子と、
前記固定撮像素子が受光する受光量のうち、原稿の先端から内側の所定幅、及び原稿の後端から内側の所定幅における、前記主走査方向の受光量が、所定の閾値未満であることを検知する受光量検知手段と、
前記受光量検知手段が検知した前記受光量が所定の閾値未満である箇所の、前記主走査方向の位置を特定する位置検知手段と、
前記光量検知手段が、前記原稿の先端側及び後端側の双方で、所定の閾値未満の受光量を検知し、かつ、前記位置検知手段によって特定された前記主走査方向の位置が、前記原稿の先端側及び後端側の双方で実質的に同じである場合に、前記コンタクト部材に異物が付着して異物付着部が発生していると判断する判断手段と、
前記判断手段が異物付着部の発生を判断した際に、前記異物付着部に対応する前記光源素子の発光量を増加させる制御手段、とを備える、
ことを特徴とする画像読取装置。
【請求項２】
前記制御手段は、前記異物付着部が１つの前記光源素子に対応している場合には、その１つの光源素子の発光量を増加させ、前記異物付着部が前記主走査方向に相互に隣接する２つの光源素子の間に対応する場合には、これら２つの光源素子の発光量を増加させる、
ことを特徴とする請求項１に記載の画像読取装置。
【請求項３】
前記制御手段は、前記異物付着部に基づく受光量の低下量が多いほど、前記光源素子の発光量を増加させる、
ことを特徴とする請求項１又は２に記載の画像読取装置。
【請求項４】
前記制御手段は、発光量を増加させた前記光源素子の、前記主走査方向の両外側に位置する前記光源素子の発光量を、前記増加させた発光量よりも少ない発光量で増加させる、
ことを特徴とする請求項３に記載の画像読取装置。
【請求項５】
原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置において、
前記画像読取部に、請求項１乃至４のいずれか１項に記載の画像読取装置が配設されている、
ことを特徴とする画像形成装置。
【発明の詳細な説明】
【技術分野】
【０００１】
本発明は、点光源である光源素子により原稿をライン状に照射したときの反射光に基づいて画像を読み取る画像読取装置、及びこれを備えた画像形成装置に関する。
【背景技術】
【０００２】
複写機，プリンタ，ファクシミリ等の画像形成装置に使用される画像読取装置は、光源によって原稿の画像面を照射し、その反射光を結像レンズを通してＣＣＤ等の固体撮像素子に導くことで画像を読み取る。光源としては、従来からキセノンランプ，冷陰極ランプ等の棒状の光源が使用されていたが、近時では、これらよりも低価格で長寿命の点光源であるＬＥＤ等の光源素子（ＬＥＤ素子）を主走査方向に向けてライン状に複数、整列させて使用するものも提案されている。
【０００３】
ところで、読取光学系に汚れや塵埃等の異物が付着した場合には、複数のＬＥＤ素子から発光されて、ＣＣＤに至る光は、その異物に対応する箇所のＣＣＤの受光量が不足することになる。このような場合、コンタクトガラス上に設定された読取位置に原稿を通過させる、いわゆる原稿の流し読みを行った場合、読取画像に基づいてシートに出力された出力画像には、通紙幅方向（主走査方向）の、異物に対応する位置に、原稿搬送方向（副走査方向）に沿って、シートの先端から後端まで１本の縦筋が発生して、出力画像の品位を低下させてしまう。
【０００４】
そこで、特許文献１では、シェーディング補正時にＬＥＤ素子の発光量を調整して、異物によるＣＣＤの受光量の低下を抑制し、縦筋を除去するようにしている。すなわち、シェーディング補正時には、複数のＬＥＤ素子によって白色基準板を照射し、この白色基準板で反射されてＣＣＤに至る光の量（受光量）がＣＣＤの長手方向で均一になるように、ＬＥＤ素子の発光量を個別にあるいは複数のＬＥＤ素子ごとに調整している。この際、異物の位置に対応するＣＣＤの画素を特定し、その画素に対応するＬＥＤ素子の発光量を調整して、異物に基づく受光量の低下を抑制し、これにより縦筋の発生を防止している。
【特許文献１】特開２００１−１４８７６５号公報
【発明の開示】
【発明が解決しようとする課題】
【０００５】
しかしながら、上述の従来技術においては、光学系に付着した異物の有無をシェーディング補正時に検出しているが、シェーディング補正は、各原稿ごとに行われるものではないため、原稿を流し読みしている途中でコンタクトガラス上に付着した異物は、次のシェーディング補正時まで検出されない。このため、異物の付着が次のシェーディング補正時に検出された場合、前のシェーディング補正時から次のシェーディング補正時までに読み取った複数枚の原稿のうち、どの原稿に対応する出力画像から縦筋が発生するかを知ることが困難である。このため、異物の付着が検出された際には、読取動作を中断して、それ以前の何枚かの原稿は、再度、読み取りする必要があり、煩雑である。また、読取動作が中断される前までに読み取った画像に基づいて、画像を出力した場合には、縦筋の入った出力画像が複数枚、形成される可能性が高い。
【０００６】
そこで、本発明は、原稿の流し読みの途中でコンタクト部材上に異物が付着した場合であっても、原稿の流し読み及びそれに基づく画像の出力を中断する必要がなく、また、中断しない場合でも、縦筋の入る可能性のある画像が１枚だけですむ画像読取装置及びこれを備えた画像形成装置を提供することを目的とするものである。
【課題を解決するための手段】
【０００７】
請求項１に係る発明は、光透過性のコンタクト部材上に主走査方向に設定された読取ライン上を原稿の画像面が副走査方向に通過する際に、光源から光を照射し、その反射光を結像レンズを通して固体撮像素子で受光して画像を読み取る画像読取装置に関する。この発明に係る画像読取装置は、前記主走査方向にライン状に整列されて前記光源を構成するとともに、発光量を個別に制御可能な複数の光源素子と、前記固定撮像素子が受光する受光量のうち、原稿の先端から内側の所定幅、及び原稿の後端から内側の所定幅における、前記主走査方向の受光量が、所定の閾値未満であることを検知する受光量検知手段と、前記受光量検知手段が検知した前記受光量が所定の閾値未満である箇所の、前記主走査方向の位置を特定する位置検知手段と、前記光量検知手段が、前記原稿の先端側及び後端側の双方で、所定の閾値未満の受光量を検知し、かつ、前記位置検知手段によって特定された前記主走査方向の位置が、前記原稿の先端側及び後端側の双方で実質的に同じである場合に、前記コンタクト部材に異物が付着して異物付着部が発生していると判断する判断手段と、前記判断手段が異物付着部の発生を判断した際に、前記異物付着部に対応する前記光源素子の発光量を増加させる制御手段、とを備える、ことを特徴としている。
【０００８】
請求項２に係る発明は、請求項１に係る画像読取装置において、前記制御手段は、前記異物付着部が１つの前記光源素子に対応している場合には、その１つの光源素子の発光量を増加させ、前記異物付着部が前記主走査方向に相互に隣接する２つの光源素子の間に対応する場合には、これら２つの光源素子の発光量を増加させる、ことを特徴としている。
【０００９】
請求項３に係る発明は、請求項１又は２に係る画像読取装置において、前記制御手段は、前記異物付着部に基づく受光量の低下量が多いほど、前記光源素子の発光量を増加させる、ことを特徴としている。
【００１０】
請求項４に係る発明は、請求項３に係る画像読取装置において、前記制御手段は、発光量を増加させた前記光源素子の、前記主走査方向の両外側に位置する前記光源素子の発光量を、前記増加させた発光量よりも少ない発光量で増加させる、ことを特徴としている。
【００１１】
請求項４に係る発明は、請求項３に係る画像読取装置において、前記制御手段は、発光量を増加させた前記光源素子の、前記主走査方向の両外側に位置する前記光源素子の発光量を増加させる、ことを特徴としている。
【００１２】
請求項５に係る発明は、原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置に関する。この発明に係る画像形成装置は、前記画像読取部に、請求項１乃至４のいずれか１項に係る画像読取装置が配設されている、ことを特徴としている。
【発明の効果】
【００１３】
請求項１の発明によれば、読取ライン上を通過する原稿の先端及び後端を読み取り、そのときの受光量に基づいて、コンタクト部材上に異物付着部が発生したか否かを判断し、異物付着部が発生していると判断された場合には、その異物付着部に対応する光源素子の光量を増加させて、異物付着部に起因する受光量の低下を抑制するようにしている。これにより、異物付着部を検出するために使用された原稿の次の原稿（後続の原稿）を読み取る際には、出力画像の縦筋の原因となる異物発生部の影響を排除あるいは低減させることができる。また、異物付着部の検出に際し、原稿の先端と後端との双方で受光量の少ない部分が検出され、かつその主走査方向の位置が同じ場合に異物付着部が発生したものとしているので、誤検知を防止することができる。すなわち、原稿の一方の端部のみで、異物付着部を検出する場合には、例えば、原稿の端部の汚れと区別することができないので、このような場合を除くことができる。
【００１４】
請求項２の発明によれば、異物付着部の位置が、１つの光源素子に対応している場合はその光源素子の、また、隣接する２つの光源素子の間に対応している場合にはその２個の光源素子の光量を増加させることで、異物付着部に起因する受光量の低下を防止することができる。
【００１５】
請求項３の発明によれば、異物付着部に基づく受光量の低下を防止するために、対応する光源素子の発光量を多くした場合、異物付着部に隣接する部分に対応する部分の受光量が多くなりすぎることがあり、受光量が主走査方向に沿ってほぼ均一ではなくなる。そこで、異物付着部に起因する受光量の低下量に応じて、異物付着部に対応する光源素子の発光量の増加を変更することで、主走査方向の受光量の均一性を保持するようにしている。
【００１６】
請求項４の発明によれば、異物付着部に対応する光源素子だけでなく、これの両外側に隣接する光源素子の発光量も増加させることにより、異物付着部に対応する部分の受光量のみが極端に増加することを防止することができる。
【００１７】
請求項５の発明によれば、画像読取装置における上述の請求項１〜４の効果を、画像形成装置として奏することができる。
【発明を実施するための最良の形態】
【００１８】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００１９】
＜実施形態１＞
図１〜図７を参照して、本発明に係る画像読取装置１０について説明する。このうち、図１は、画像読取装置１０の縦断面を正面側（前側）から見た図である。図２は、原稿載置用のコンタクトガラス１８と、原稿Ｇ（同図ではＡ３サイズ）の載置位置と、光源１２を構成するＬＥＤ素子（光源素子）Ｌ１〜Ｌ３５との位置関係を説明する上面図である。図３は、ＬＥＤ素子Ｌ１〜Ｌ３５が千鳥状に配列されたようすを説明する斜視図である。図４は、ＬＥＤ素子Ｌ１〜Ｌ３５、コンタクトガラス１８ａ、ＣＣＤ１４、流し読みされる原稿Ｇ、異物付着部ｔ等の、主走査方向（読取ラインＬｎに沿った方向）の位置関係を上方から見て模式的に示す図である。図５は、異物付着部ｔによって、ＣＣＤ１４の受光量が閾値未満に低下した状態を説明する図である。図６は、ＬＥＤ素子Ｌ１６，Ｌ１７の発光量を増加させることで、受光量が低下した部分を閾値以上にした状態を説明する図である。図７は、縦筋を消すための動作の流れを説明するフローチャートである。なお、以下の説明では、光源素子としてのＬＥＤ素子Ｌ１〜Ｌ３５について、これらを区別する必要がない場合、任意の１つについて説明する場合、総称して呼ぶ場合等には、ＬＥＤ素子Ｌという。なお、図１〜図３において矢印で示す前後左右上下等の方向は、実際の画像読取装置１０や光源１２の前後左右上下等の方向を示している。
【００２０】
図１に示すように、画像読取装置１０は、照明装置１１と結像レンズ１３とＣＣＤ（固体撮像素子）１４とを備えており、さらに、照明装置１１は、光源１２と駆動装置１５とを備えている。これら光源１２、駆動装置１５、結像レンズ１３、ＣＣＤ１４は、いずれも直方体状の筐体（フレーム）１６の内側の収納室Ｓに配設されている。筐体１６は、その上面に開口部１７を有していて、この開口部１７には、原稿Ｇの固定読み時に使用される透明な原稿載置用のコンタクトガラス１８が配設されている。これに対し、後述する原稿自動給送装置６０を使用して、原稿Ｇを流し読みする際には、このコンタクトガラス１８の左側に配置されている、前後方向（主走査方向、読取ライン方向と同じ）に長い長板状の透明なシートスルー用のコンタクトガラス（コンタクト部材）１８ａが使用される。
【００２１】
図２に示すように、コンタクトガラス１８は、最大サイズの原稿Ｇ（本実施形態ではＡ３サイズ）よりも大きい長方形状に形成されている。コンタクトガラス１８の左端には前後方向に向けて左指示板２０が、また後端及び前端には、それぞれ左右方向に向けて後指示板２１、前指示板２２が配設されている。このうち左指示板２０と後指示板２１とが交差する位置が、原稿Ｇを固定読みする際の読取基準位置Ｐ０１となる。固定読み時にコンタクトガラス１８に載置される原稿Ｇは、１つの角部を基準位置Ｐ０１に合わせ、左端を左指示板２０に合わせ、後端を後指示板２１に合わせて位置決めされる。これが、固定読み時の読取位置である。図２中には、読取位置に配置された状態のＡ３サイズの原稿Ｇを表示している。なお、左指示板２０及び後指示板２１における、各サイズの原稿Ｇの前端及び右端に対応する位置には、それぞれの原稿Ｇのサイズを示す表記が付されている。コンタクトガラス１８の左端側における下方には、光源１２が配設されている。光源１２は、後述するように、点光源であるＬＥＤ素子Ｌ１〜Ｌ３５を前後方向に並べて全体として前後方向に長く構成されている。
【００２２】
図１に示すように、コンタクトガラス１８の左端側の下方には、照明用光学移動枠ユニット２３が配設されている。照明用光学移動枠ユニット２３は、前後方向に長い移動枠２４を有している。この移動枠２４には、光源１２が取り付けられた光源用メイン基板（基板）２５と、導光レンズ１９と、反射板２６と、第１ミラー２７とが搭載されている。このうち光源用メイン基板２５は、図２に示すように、前後方向に長く形成されていて、その上面には、光源１２が取り付けられている。本実施形態では、光源１２は、点光源であるＬＥＤ素子Ｌ１〜Ｌ３５を複数（図２では３５個）、前後方向にライン状に整列させて構成している。ここで、ライン状とは、１本の直線上に整列された場合に限らず、例えば、図２に示すように、千鳥状に整列して、実質的に直線状である場合も含めるものとする。これらＬＥＤ素子Ｌ１〜Ｌ３５は、前後方向に沿って原稿Ｇの画像面をムラ無く照射できる所定のピッチＰで整列されている。図２において、最後端のＬＥＤ素子Ｌ１の中心から、最前端のＬＥＤ素子Ｌ３５の中心までの間に、通紙幅が最大となる、Ａ４サイズの原稿Ｇの長辺（＝２９７ｍｍ）、またはＡ３サイズの原稿Ｇの短辺（＝２９７ｍｍ）が入るように設定されている。なお、ＬＥＤ素子Ｌ１〜Ｌ３５については、後に、図３を参照して、さらに説明する。
【００２３】
複数のＬＥＤ素子Ｌ１〜Ｌ３５によって構成された光源１２は、図１に示すように、コンタクトガラス１８ａの上面に設定されている読取ラインＬｎを右斜め下方から照射するようになっている。これらＬＥＤ素子Ｌ１〜Ｌ３５は、図１に示す制御手段７０によって、個別に点灯（オン）及び消灯（オフ）のタイミングが制御される。また、光量についても、制御手段７０により、電流値又は電圧値が調整されることで、個別に制御されるようになっている。導光レンズ１９は、光源１２と読取ラインＬｎとの間に位置するように、移動枠２４によって保持されており、光源１２から発光された光を読取ラインＬｎに導くようになっている。
【００２４】
図１に示すように、反射板２６は、読取ラインＬｎから下ろした垂線に対して、上述の光源１２と反対側に配置されている。上述のように、光源１２は、コンタクトガラス１８上の原稿Ｇを右斜め下方から照射しているため、原稿Ｇの左端に影が形成されて、この影が前後方向の直線状の画像として読み込まれがちである。反射板２６は、光源１２からの光を反射して読取ラインＬｎに導いて、この影を除去する。なお、本実施形態では、反射板２６は、光源１２からの光を反射して原稿Ｇの画像面を間接照射し、これにより、直接照射による物面照度ムラや像面照度ムラを低減する部材としても使用されている。
【００２５】
照明用光学移動枠ユニット２３における、読取ラインＬｎの直下に位置する部分には、第１ミラー２７が配設されている。第１ミラー２７は、左斜め上の４５度を向けた状態で取り付けられている。以上のように、照明用光学移動枠ユニット２３は、移動枠２４に光源１２、光源用メイン基板２５、導光レンズ１９、反射板２６、第１ミラー２７を搭載した状態で、左右方向に敷設した光学レール（ガイド部材）２９に沿って左右方向に移動できる。つまり、前後方向にライン状（線状）の光源１２に対して、これに直交する左右方向に移動することができるようになっている。この照明用光学移動枠ユニット２３は、右方に移動しながら読取ラインＬｎに向けて光源１２から光を照射し、原稿Ｇの画像面からの反射光を次に説明する第２ミラー２８に導くものである。
【００２６】
図１に示すように、コンタクトガラス１８の左端側の下方には、上述の照明用光学移動枠ユニット２３の左方に、反射用光学移動枠ユニット３０が配設されている。反射用光学移動枠ユニット３０は、前後方向に長い移動枠３１を有している。この移動枠３１には、右斜め下４５度を向けた状態で第２ミラー２８が、また右斜め上４５度を向けた姿勢で第３ミラー３２が搭載されている。さらに、この移動枠３１は、その前端と後端とにおいて、可動プーリ３３を回動自在に支持している。以上のように、反射用光学移動枠ユニット３０は、第２ミラー２８、第３ミラー３２、可動プーリ３３を搭載した状態で、左右方向に敷設された光学レール２９に沿って左右方向に移動できるようになっている。この反射用光学移動枠ユニット３０は、右方に移動しながら、上述の照明用光学移動枠ユニット２３の第１ミラー２７からの光を第２ミラー２８、第３ミラー３２で反射して後述の結像レンズ１３に導くものである。
【００２７】
図１に示すように、筐体１６の左端近傍には前端と後端とに固定左プーリ３４，３４が、また筐体１６の右端近傍には前端と後端とに固定右プーリ３５，３５がそれぞれ回動自在に配設されている。また、固定右プーリ３５，３５の下方には、正逆回転可能なモータ３６が配設されている。さらに、モータ３６の左方には、駆動軸３７と一体の駆動プーリ３８が配設されていて、モータ３６の出力軸４０と駆動プーリ３８との間には、駆動ベルト４１が張設されている。駆動軸３７の前端と後端とには、ワイヤドラム４２，４２が固定されており、これらワイヤドラム４２，４２には、それぞれ光学ワイヤ４３，４３が巻き掛けられている。
【００２８】
これら光学ワイヤ４３，４３の一方の端部４４，４４は、筐体１６の左側壁４５の内面に固定されている。光学ワイヤ４３，４３は、ここから右方に延びて、反射用光学移動枠ユニット３０の可動プーリ３３，３３の右半部に掛け渡されて左方に折り返し、固定左プーリ３４，３４の左半部に掛け渡された後、右方に折り返して固定右プーリ３５，３５に向かって延びる。さらに、ワイヤドラム４２，４２に１周分巻き付けられた後、固定右プーリ３５，３５の右半部に掛け渡されて左方に延び、途中で照明用光学移動枠ユニット２３に固定された後、さらに左方に延びて、可動プーリ３３，３３の左半部に掛け渡されて右方に折り返し、レンズ取付台４６上に突設されたフック４７に係止されている。
【００２９】
このような光学ワイヤ４３，４３の引き回しに基づき、モータ３６が図１中の反時計回りに回転すると、駆動ベルト４１、駆動プーリ３８、駆動軸３７を介して、ワイヤドラム４２，４２が同じく反時計回りに回転する。これに伴い、光学ワイヤ４３，４３に引かれて、照明用光学移動枠ユニット２３及び反射用光学移動枠ユニット３０が右方に移動する。この際、反射用光学移動枠ユニット３０は、その可動プーリ３３，３３がいわゆる動滑車として作用するため、移動距離が照明用光学移動枠ユニット２３の移動距離の半分となる。これにより、照明用光学移動枠ユニット２３及び反射用光学移動枠ユニット３０の移動にかかわらず、読取ラインＬｎからＣＣＤ１４に至る光路長が一定に保持されて、次に説明する結像レンズ１３を通過した光がＣＣＤ１４上で像を結ぶようになっている。なお、本実施形態では、上述のように光源１２を移動させるための構成全体が駆動装置（移動装置１５）に相当する。
【００３０】
図１に示すように、結像レンズ１３は、レンズ取付台４６に固定されたレンズ取付板４８上に固定されている。光源１２から照射された光は、原稿Ｇの画像面で反射されて、同図に示す光路Ｋをたどる。すなわち、画像面からの反射光は、第１ミラー２７、第２ミラー２８、第３ミラー３２で反射されて結像レンズ１３を通過して、次に説明するＣＣＤ１４上で結像される。レンズ取付板４８の後端側には屈曲形状のＣＣＤ調整板４９が固定されていて、このＣＣＤ調整板４９の水平部４９には、前端側と後端側とに、後述する光軸調整ピン５３，５３が螺合される雌ねじ（不図示）が螺刻されている。
【００３１】
ＣＣＤ１４は、直立姿勢のＣＣＤ基板５０の表面（図１では左面）に取り付けられており、ＣＣＤ取付板５１によって保持された状態で、ＣＣＤ基板５０とともに、箱状のＣＣＤカバー５２によって覆われている。ＣＣＤ取付板５１の上端は、左方に屈曲された水平部５１ａとなっていて、この水平部５１ａには、前端側と後端側とに、光軸調整ピン５３，５３が貫通する透孔（不図示）が穿設されている。光軸調整ピン５３，５３は、ＣＣＤ取付板５１側の水平部５１上の透孔を上方から貫通するとともに、ＣＣＤ調整板４９側の水平部４９ａの雌ねじに螺合されている。さらに、これら水平部４９ａ，５１ａの間には、光軸調整ピン５３，５３によって貫通された圧縮ばね５４，５４が介装されている。ＣＣＤ取付板５１は、この圧縮ばね５４，５４によって、ＣＣＤ調整板４９に対して上方に付勢されており、上述の光軸調整ピン５３，５３の大径の頭部に下方から当接されている。光軸調整ピン５３，５３は、ＣＣＤ調整板４９の水平部４９ａに対するねじ込み量を調整することで、ＣＣＤ１４の前後方向の傾斜を調整することができるようになっている。ＣＣＤ１４は、上述の制御手段７０に接続されている。
【００３２】
図１に示すように、本実施形態では、画像読取装置１０は、コンタクトガラス１８の上方に、開閉自在な自動原稿給送装置６０を備えていて、この自動原稿給送装置６０で原稿Ｇを搬送することで、原稿Ｇの流し読みを行っている。自動原稿給送装置６０全体は、後端側が、筐体１６におけるコンタクトガラス１８の後方に位置する部分によって揺動自在に支持されており、前端側がほぼ上下方向に開閉自在になっている。自動原稿給送装置６０は、原稿Ｇの搬送方向に沿っての上流側から順に配設された給紙トレイ６１、搬送ローラ６２、排紙ガイド６３、排紙トレイ６４等を備えている。このうち排紙ガイド６３は、上述の左指示板２０の左端側の上面に、右上がりの傾斜面として形成されている。
【００３３】
図１に示すように、給紙トレイ６１には、載置された原稿Ｇの後端及び前端（原稿Ｇの搬送方向の下流側に向かって見た場合の右端及び左端）の位置を規制するサイド規制板６５，６６が前後方向に移動自在に配設されている。これらサイド規制板６５，６６の間には、例えば、ラック＆ピニオン等の連動機構（不図示）が介装されていて、給紙トレイ６１の通紙幅方向（前後方向）の中心に向けて一方のサイド規制板６５（又は６６）を移動させると、他方のサイド規制板６６（又は６５）も同様に中心に向かって移動し、また、この逆に、一方のサイド規制板６５（又は６６）を中心から遠ざかる方向に移動させると、他方のサイド規制板６６（又は６５）も同様に中心から遠ざかる方向に移動する。つまり、給紙トレイ６１上に原稿Ｇを載置した後、サイド規制板６５，６６をそれぞれ原稿Ｇの後端及び前端に押し当てることにより、通紙幅の異なる種々の原稿Ｇを給紙トレイ６１の通紙幅方向の中央に配置することができる。すなわち、自動原稿給送装置６０を使用して原稿Ｇを流し読みする場合には、原稿Ｇは中央基準で読み取られるようになっている。
【００３４】
給紙トレイ６１には、載置された原稿Ｇの通紙幅を検知するためのサイズ検知センサ（不図示）が配置されている。上述のように、給紙トレイ６１に載置された原稿Ｇは、サイド規制板６５，６６がそれぞれ後端，前端に当接されることで、給紙トレイ６１の前後方向の中央に位置決めされる。サイズ検知センサは、このときのサイド規制板６５，６６の位置を検知することで、原稿Ｇの通紙幅を検知することができる。
【００３５】
上述構成の画像読取装置１０は、原稿Ｇの画像を読み取る際に、原稿Ｇを固定して光源１２を移動させる固定読みと、光源１２を固定して原稿Ｇを移動させる流し読みとの双方を行うことができる。また、いずれの場合も、原稿Ｇの照射に必要なＬＥＤ素子Ｌのみが点灯され、照射に寄与しないＬＥＤ素子Ｌは消灯されるようになっている。
【００３６】
前者の固定読みに際しては、自動原稿給送装置６０を開放して、原稿Ｇをコンタクトガラス１８上にセットする。このとき、原稿Ｇを後端基準で読取位置にセットする。自動原稿給送装置６０を原稿Ｇの上から閉鎖すると、一旦、光源１２のすべてのＬＥＤ素子Ｌ１〜Ｌ３５が点灯され、原稿Ｇからの反射光がＣＣＤ１４に入射される。このときの通紙幅方向に沿っての入射光量の違いに基づいて、原稿Ｇのサイズ（通紙幅）が検知される。制御手段７０は、この検知結果に基づいて、画像読取りの際に点灯させるＬＥＤ素子Ｌを決定する。
【００３７】
つづいて、作業者が筐体１６に取り付けられている操作パネル（不図示）を操作して読取開始ボタン（不図示）を押す。これにより、照明用光学移動枠ユニット２３が原稿Ｇの左端よりも左側の読取開始位置に配置され、ここから右方に移動する。これに伴い、照明用光学移動枠ユニット２３に搭載されている光源１２が原稿Ｇの画像面を読取ラインＬｎに沿って照射（主走査）しながら、右方に移動して副走査し、原稿Ｇの画像面をその全領域にわたって、光照射する。画像面からの反射光は、さらに第１ミラー２７，第２ミラー２８，第３ミラー３２で反射され、結像レンズ１３を通って結像し、ＣＣＤ１４に導かれる。これにより、原稿Ｇの画像面が全領域にわたって読み取られる。
【００３８】
一方、後者の流し読みに際しては、自動原稿給送装置６０を閉鎖した状態で、給紙トレイ６１上に原稿Ｇをその画像面を上に向けた状態で載置し、原稿Ｇの後端及び前端にサイド規制板６５，６６を当接させることで、原稿Ｇを給紙トレイ６１の中央にセットする。これにより、原稿Ｇの通紙幅が検知される。操作パネルの読取開始ボタンを押すと、照明用光学移動枠ユニット２３が左指示板２０の左側のコンタクトガラス１８ａの画像読取部Ｒの読取ラインＬｎの下方の読取位置に移動する。給紙トレイ６１上の原稿Ｇは、搬送ローラ６２等によって画像読取部Ｒに搬送される。このとき、光源１２から照射された照射光は、読取ラインＬｎを通過する原稿Ｇの画像面によって反射され、上述の固定読みの場合と同様、第１ミラー２７，第２ミラー２８，第３ミラー３２で反射され、結像レンズ１３を通って結像し、ＣＣＤ１４に導かれる。これにより、原稿Ｇの画像面が全領域にわたって読み取られる。
【００３９】
図３を参照して、ＬＥＤ素子Ｌ１〜Ｌ３５について説明する。ＬＥＤ素子Ｌ１〜Ｌ３５は、５個又は６個の単位で直線上に整列されて取付板２４ｂに取り付けられた状態で、光源用メイン基板２５の上面２５ａに配設されている。ＬＥＤ素子Ｌ１〜Ｌ３５全体としては、２列にわたって、千鳥状に配設されている。すなわち、奇数番目のＬＥＤ素子Ｌ１，Ｌ３……Ｌ（２ｎ−１）、（ただし、１≦ｎ≦１８）が所定のピッチ２Ｐで等間隔に１列に配列され、一方、偶数番目のＬＥＤ素子Ｌ２，Ｌ４……Ｌ｛２（ｎ−１）｝も上述の奇数番目のものと同じ所定のピッチ２Ｐで等間隔に１列に配置されている。そして、奇数番目のＬＥＤ素子Ｌと偶数番目のＬＥＤ素子Ｌとは、副走査方向（左右方向）の位置については所定の距離を隔てて配置され、また、主走査方向（前後方向）の位置については、偶数番目のＬＥＤ素子Ｌが、隣接する２個の奇数番目のＬＥＤ素子Ｌの中間に位置するように配置されている。これにより、ＬＥＤ素子Ｌ１〜Ｌ３５は、主走査方向については、所定にピッチＰで配置されることになる。これらＬＥＤ素子Ｌ１〜Ｌ３５は、図１に示す制御手段７０によって、点灯及び消灯、また、発光量を、それぞれ個別に制御することができるようになっている。
【００４０】
ところで、原稿Ｇの流し読みを行うと、原稿Ｇの画像面がコンタクトガラス１８ａの上面に摺擦されることになり、この際、原稿Ｇに付着していた汚れや塵埃等の異物がコンタクトガラス１８ａに付着することがある。そして、コンタクトガラス１８ａに異物が付着して異物付着部ｔが発生すると、ＬＥＤ素子Ｌ１〜Ｌ３５から出射された光の一部が、異物付着部ｔによって遮られ、ＣＣＤ１４は、異物付着部ｔに対応する部分の受光量が不足する。この結果、この画像読取に基づいて、後述の画像形成装置１により画像を形成した場合には、出力画像には、原稿Ｇの搬送方向に沿って縦筋が発生することになる。
【００４１】
そこで、本発明においては、原稿Ｇの流し読み中に、原稿Ｇの先端側及び後端側における受光量を検知して、異物付着部ｔを検知し、異物付着部ｔに対応するＬＥＤ素子の発光量を増加させて、ＣＣＤ１４の受光量の低下を防止し、これにより、縦筋の発生を防止している。以下、詳述する。
【００４２】
図４は、上述のＬＥＤ素子Ｌ１〜Ｌ３５、コンタクトガラス１８ａ、結像レンズ１３、ＣＣＤ１４、及び原稿Ｇを上方から見て、前後方向の位置関係を模式的に示す図である。なお、以下の説明では、複数枚（ｎ枚）の原稿Ｇを連続して流し読みしている途中で、そのうちの１枚の先行する原稿Ｇによって汚れ又は塵埃等の異物がコンタクトガラス１８ａ上に搬送されて、コンタクトガラス１８ａに異物付着部ｔが発生したものとする。また、異物付着部ｔの発生位置は、後端側から前端側にかけて所定のピッチで配置されたＬＥＤ素子Ｌ１〜Ｌ３５のうち、ＬＥＤ素子Ｌ１６，Ｌ１７の間であるものとする。
【００４３】
後続の原稿Ｇは、矢印ａ方向（左から右に向いた方向）に搬送されて読取ラインＬｎを通過する際に、画像面が異物付着部ｔ上を通過することになり、この状態で、ＬＥＤ素子Ｌ１〜Ｌ３５から発光された光が画像面に照射される。このため、原稿Ｇにおける、主走査方向に沿っての異物付着部ｔと同じ位置に、先端Ｇａから後端Ｇｂにかけて、ライン状に光量不足部ｂが発生し、この光量不足部ｂに対応して、ＣＣＤ１４に受光量の不足する部分が発生する。そして、このＣＣＤ１４の読取結果に基づいて、後述の画像形成装置１によってシートＰ上に画像を形成した場合に、シートＰにおける、原稿Ｇの光量不足部ｂに対応する位置に縦筋が発生する。
【００４４】
そこで、本実施形態では、図７のフローチャートの流れに従って、縦筋の発生を防止するようにした。
【００４５】
複数枚（ｎ枚）の原稿Ｇの連続流し読みが開始され、ＬＥＤ素子Ｌ、１枚目の原稿Ｇの先端Ｇａ（図４参照）が読取ラインＬｎに到達すると（Ｓ１の「ＹＥＳ」）、原稿Ｇの画像面の読み取りが開始される（Ｓ２）。原稿Ｇは、一般に、先端Ｇａ近傍及び後端Ｇｂ近傍には、読み取られるべき画像（読取画像）が形成されていない場合が多い。そこで、本実施形態では、先端Ｇａから所定幅（例えば、１ｍｍ）だけ内側に入った位置と先端Ｇａとの間に形成される帯状の部分を先端側検知部Ｇ１、また、後端Ｇｂから所定幅（例えば１．５ｍｍ）だけ内側に入った位置と後端Ｇｂとの間に形成される帯状の部分を後端側検知部Ｇ２として、これら先端側検知部Ｇ１、後端側検知部Ｇ２を利用して、コンタクトガラス１８ａに異物付着部ｔがあるか否かを検知するようにした。なお、叙述のように先端側検知部Ｇ１の幅が１ｍｍであるのに対し、後端側検知部Ｇ２の幅を１．５ｍｍと大きくとった理由は、先端側検知部Ｇ１及び後端側検知部Ｇ２の位置を検知する際に、いずれも先端Ｇａを基準として検知していて、後端側に測定誤差が出やすいので、その分、余裕を含めているからである。
【００４６】
図５に、異物付着部ｔが発生している場合のＣＣＤ１４の主走査方向（ＬＥＤ素子Ｌ１〜Ｌ３５の配列方向）の受光量の分布を示す。主走査方向の受光量の平均値をＨａとし、また、受光量の閾値をＨｂとする。
この閾値Ｈｂは、ＣＣＤ１４の受光量が、閾値Ｈｂ未満の場合は、この読取結果に基づいて、後述の画像形成装置１で画像を形成した場合にシートＰ上に縦筋が発生する限界値として設定されている。言い換えると、受光量が閾値Ｈｂ以上の場合には、縦筋が発生したとしても実用上、許容できるレベルであるものとして、この閾値Ｈｂが設定されている。コンタクトガラス１８ａ上に異物が付着して異物付着部ｔが発生した場合には、主走査方向のＣＣＤ１４の受光量のうち、異物付着部ｔに対応する部分の受光量がＨｔに低下することになる。
【００４７】
原稿Ｇの先端Ｇａ側の先端側検知部Ｇ１の読み取り開始後（Ｓ２）、受光量が閾値Ｈｂ未満となる部分があるか否かを受光量検知手段７１によって検知する（Ｓ３）。なお、受光量検知手段７１をはじめ、後述する位置検知手段７２、判断手段７３は、いずれも制御手段７０に設けられている。閾値Ｈｂ未満の部分があった場合（Ｓ３の「ＹＥＳ」）、その部分の主走査方向の位置を、位置検知手段７２によって特定し、記憶する（Ｓ４）。本例では、図４，図５に示すように、ＣＣＤ１４における受光量が閾値Ｈｂ未満であった位置として、これに対応するＬＥＤ素子Ｌの位置を特定する。図４，図５に示す例では、異物付着部ｔは、隣接する２個のＬＥＤ素子Ｌ１６，Ｌ１７の間で発生していて、この場合の対応するＬＥＤ素子Ｌとは、隣接する２個のＬＥＤ素子Ｌ１６，Ｌ１７ということになる。本実施形態では、後述するように、異物付着部ｔが発生されていると検知された場合に、その対応として、ＬＥＤ素子Ｌの発光量を変更している。したがって、異物付着部ｔの位置については、隣接する２個のＬＥＤ素子Ｌを特定すれば十分である。なお、受光量が閾値Ｈｂである位置が、１個のＬＥＤ素子Ｌに対応している場合には、このＬＥＤ素子Ｌが異物発生部ｔに対応したＬＥＤ素子Ｌということになる。
【００４８】
閾値Ｈｂ未満か否かの検知は、先端側検知部Ｇ１が読取ラインＬｎを通過し終えるまで続けられ（Ｓ５の「ＮＯ」）、通過し終えた後は（Ｓ５の「ＹＥＳ」）、原稿Ｇの画像が読み取られる。後端側検知部Ｇ２が読取ラインＬｎに到達すると（Ｓ６の「ＹＥＳ」）、先端側検知部Ｇ１の場合と同様、受光量検知手段によって、受光量Ｈｔが閾値Ｈｂ未満となる部分があるか否かを検知する（Ｓ７）。閾値Ｈｂ未満の部分があった場合（Ｓ７の「ＹＥＳ」）、主走査方向の位置を、位置検知手段７２によって検知、記憶する（Ｓ８）。この場合も、ＣＣＤ１４における受光量Ｈｔが閾値Ｈｂ未満であった位置に対応するＬＥＤ素子Ｌを検知する。閾値Ｈｂ未満か否かの検知は、後端側検知部Ｇ２が読取ラインＬｎを通過し終えるまで続けられる（Ｓ９の「ＮＯ」）。
【００４９】
後端側検知部Ｇ２が読取ラインＬｎを通過し終えたら（Ｓ９の「ＮＯ」）、判断手段７３によって、位置検知手段７２が閾値Ｈｂ未満を検知した位置が、Ｓ４とＳ８とで実質的に同じであるか否かを判断する（Ｓ１０）。ここでは、実質的に同じであるとは、同じ隣接する２個のＬＥＤ素子Ｌ１６，Ｌ１７の間にあるということである。判断手段７３は、位置が同じである場合（Ｓ１０の「ＹＥＳ」）、異物付着部ｔが発生したものと判断する。そして、制御手段７０は、この判断結果に基づいて、ＬＥＤ素子Ｌ１６，Ｌ１７の発光量を増加させる（Ｓ１１）。なお、増加させる発光量については、あらかじめ実験等によって決定しておくものとする。図６に示すように、ＬＥＤ素子Ｌ１６，Ｌ１７の発光量を増加させることにより、ＣＣＤ１４における、異物付着部ｔに対応する部分の受光量Ｈｔが、閾値Ｈｂ以上になる。これにより、縦筋の発生を防止し、又は、縦筋を目立たなくすることができる。Ｓ１０において、判断手段７３が、異物付着部ｔが発生したと判断した場合には、制御手段７０は、操作パネルの表示部（不図示）にその旨を表示する。これにより、ユーザは、その一連の原稿Ｇの流し読みが終了した後、コンタクトガラス１８ａを清掃して、異物を除去し、異物発生部ｔを解消することができる。
【００５０】
一方、Ｓ１０において、「位置が一致した場合」ではない場合には（Ｓ１０の「ＮＯ」）、判断手段７３は、異物付着部ｔが発生していないものと判断し、ＬＥＤ素子Ｌ１〜Ｌ３５の発光量を変更することはない（Ｓ１２）。ここで、「位置が一致した場合」ではない場合には、以下の場合が含まれる。以外の場合ない場合には、以下の場合が含まれる。
（１）先端側検知部Ｇ１、後端側検知部Ｇ２のいずれにおいても、閾値Ｈｂ未満が検知されない場合。
（２）先端側検知部Ｇ１、後端側検知部Ｇ２のいずれか一方においてのみ、閾値Ｈｂ未満が検知された場合。
（３）先端側検知部Ｇ１、後端側検知部Ｇ２のいずれにおいても、閾値Ｈｂ未満が検知されたが、これらの位置が一致しない場合。
【００５１】
このうち（２），（３）において検知された閾値Ｈｂ未満は、コンタクトガラス１８ａに異物付着部ｔが発生したために検知されたものではなく、例えば、原稿Ｇ自体の汚れ等によって検知されたものとみなす。
【００５２】
上述の（１），（２），（３）に該当する場合、すなわちＳ１０において「ＮＯ」の場合、ＬＥＤ素子Ｌの発光量を変更することなく、通常の発光量のままとする（Ｓ１２）。
【００５３】
以上の動作は、複数枚の原稿Ｇを連続して流し読みする際に、原稿Ｇの１枚ごとに繰り返して行い（Ｓ１３の「ＮＯ」）、ｎ枚の原稿Ｇの読み取りが終了したら、終了する。
【００５４】
本実施形態によると、複数枚の原稿Ｇの連続した流し読み時に、各原稿Ｇを読み取るごとに、コンタクトガラス１８ａに異物付着部ｔがあるか否かを検知し、異物付着部ｔがあると検知した場合には、その位置に対応するＬＥＤ素子Ｌの光量を増加させているので、読取結果に基づいて画像を形成した場合、異物付着部ｔが検知された原稿Ｇに基づいて画像形成されたシートＰには縦筋が発生するものの、これに後続するシートＰには、縦筋が発生するようなことはない。
【００５５】
なお、異物付着部ｔが隣接する２個のＬＥＤ素子Ｌの間に対応するのではなく、１個のＬＥＤ素子Ｌに対応する場合には、その１個のＬＥＤ素子Ｌの発光量のみを増加させて、縦筋の発生を防止するようにしてもよい。
【００５６】
また、図６に示すように、上述では、異物付着部ｔがＬＥＤ素子Ｌ１６，１７の間に対応する場合に、異物発生部ｔの両側に位置するＬＥＤ素子１６，Ｌ１７の発光量を増加させて、その部分に対応するＣＣＤ１４の受光量の低下を防止するようにしていた。この場合、異物付着部ｔを除く、ＬＥＤ素子Ｌ１６，Ｌ１７に対応する部分の受光量が、平均受光量Ｈａに対して、多くなりすぎて、受光量のムラが発生するおそれがある。このような場合には、例えば、ＬＥＤ素子Ｌ１６，Ｌ１７のそれぞれの外側に位置するＬＥＤ素子Ｌ１５，Ｌ１８も点灯して、受光量の変化を滑らかにすることにより、ムラを低減することができる。ただし、この場合のＬＥＤ素子Ｌ１５，Ｌ１８の発光量の増加分は、ＬＥＤ素子Ｌ１６，Ｌ１７の発光量の増加分よりも少なく設定する。
【００５７】
＜実施形態２＞
図８を参照して、本発明に係る画像読取装置１０を備えた画像形成装置１（本発明に係る画像形成装置）の一例を説明する。同図は、画像形成装置１を正面側から見た模式図である。なお、同図に示す画像形成装置１は、電子写真方式のプリンタ，複写機等の画像形成装置である。
【００５８】
同図に示すように、画像形成装置１には、シート給送部２と、画像形成部３と、定着部４と、シート排出部５とが設けてある。このうち、シート給送部２には、給紙カセット２ａ、給紙ローラ２ｂ、給送ローラ２ｃ、リタードローラ２ｄ、搬送ローラ２ｅ、レジストローラ２ｆ等が配設されている。給紙カセット２ａ内に積層状態で収納された複数枚のシートＰは、その最上位のものが、給送ローラ２ｂによって給紙され、給送ローラ２ｃ及びリタードローラ２ｄによって重送を防止されて１枚だけ下流側に給送される。さらには搬送ローラ対２ｅによって停止中のレジストローラ対２ｆに当接されて、斜行が矯正される。シートＰは、その後、画像形成部３の感光ドラム３ａ上に形成されたトナー像にタイミングを合わせるようにして、画像形成部３に供給される。
【００５９】
画像形成部３には、感光ドラム３ａ、帯電ローラ３ｂ、露光装置３ｃ、現像装置３ｄ、テンションローラ３ｅ、クリーニング装置３ｆ等が配設されている。感光ドラム３ａは、矢印方向（時計回り）に回転駆動され、帯電ローラ３ｂによって所定の極性・電位に一様に帯電される。帯電後の感光ドラム３ａは、露光装置３ｃによる露光により、露光部分の電荷が除去されて静電潜像が形成される。この露光は、上述の画像読取装置１０によって読み見取られた原稿の画像情報に基づいて行われる。
【００６０】
感光ドラム３ａ上に形成された静電潜像は、現像装置３ｄによってトナーが付着されてトナー像として現像される。
【００６１】
このトナー像は、感光ドラム３ａと転写ローラ３ｅとの間に形成される転写ニップ部において、上述のシート給送部２から供給されたシートＰに転写される。
【００６２】
トナー像転写後の感光ドラム３ａは、表面に残ったトナー（転写残トナー）がクリーニング装置３ｆによって除去され、次の画像形成に供される。
【００６３】
一方、トナー像転写後のシートＰは、定着部４において、定着ローラ４ａと加圧ローラ４ｂとに間に形成される定着ニップ部を通過する際に、加熱・加圧されて表面にトナー像が定着される。トナー像定着後のシートＰは、排紙ローラ対５ａによって、排紙トレイ５ｂ上に排出される。
【００６４】
上述の画像形成装置１においては、上述の画像読取装置１０における効果を、画像形成装置１として奏することができる。
【００６５】
なお、上述では、画像形成装置１が電子写真方式の画像形成装置である場合を例に説明したが、本発明はこれに限定されるものではなく、静電記録方式、インクジェット方式、ワイヤドット方式、熱転写方式等の画像形成装置に対しても同様に適用することができ、ほぼ同等の効果を奏することができる。
【００６６】
上述の実施形態では、異物付着部ｔによってＣＣＤ１４の受光量が閾値Ｈｂ未満になったときに、ＬＥＤ素子Ｌ１６，Ｌ１７の発光量を増加させて、縦筋の発生を防止するようにしていた。
【００６７】
ところで、増加させる発光量が必要以上に多い場合には、ＣＣＤ１４におけるＬＥＤ素子Ｌ１６，Ｌ１７に対応する部分近傍の受光量が必要以上に大きくなりすぎて、受光量のムラが発生するおそれがある。このような場合には、異物付着部ｔに対応する部分の受光量Ｈｔに応じて、増加させる発光量を設定するようにするとよい。受光量Ｈｔが少ないほど、つまり不足する受光量が多いほど、これに対応させて増加させる発光量を多くする。また、不足する受光量が少ない場合には、これに対応して、増加させる発光量を少なくする。これにより、増加させる発光量が必要以上に多くなるのを防止して、不要な受光量のムラを抑制することができる。
【産業上の利用可能性】
【００６８】
上述では、本発明を画像読取装置に使用する場合を例に説明したが、本発明は、これ以外に例えば、点光源を複数、ライン状に整列させて棒状の光源を構成する一般的な場合にも広く適用することができる。
【図面の簡単な説明】
【００６９】
【図１】画像読取装置の縦断面を正面側（前側）から見た図である。
【図２】原稿載置用のコンタクトガラスと、原稿（同図ではＡ３サイズ）の載置位置と、光源を構成するＬＥＤ素子（光源素子）との位置関係を説明する上面図である。
【図３】複数のＬＥＤ素子が千鳥状に配列されたようすを説明する斜視図である。
【図４】ＬＥＤ素子、コンタクトガラス、ＣＣＤ、流し読みされる原稿、異物付着部等の、主走査方向の位置関係を上方から見て模式的に示す図である。
【図５】異物付着部によって、ＣＣＤの受光量が閾値未満に低下した状態を説明する図である。
【図６】ＬＥＤ素子の発光量を増加させることで、受光量が低下した部分を閾値以上にした状態を説明する図である。
【図７】縦筋を消すための動作の流れを説明するフローチャートである。
【図８】画像形成装置を正面側から見た模式図である。
【符号の説明】
【００７０】
１……画像形成装置、２……シート給送部、３……画像形成部、４……定着部、５……シート排出部、１０……画像読取装置、１２……光源、１３……結像レンズ、１４……ＣＣＤ（固体撮像素子）、１８ａ……シートスルー用のコンタクトガラス（コンタクト部材）、７０……制御手段、７１……受光量検知手段、７２……位置検知手段、７３……判断手段、Ｇ……原稿、Ｇ１……先端側検知部、Ｇ２……後端側検知部、Ｇａ……原稿の先端、Ｇｂ……原稿の後端、Ｈａ……受光量の平均値、Ｈｂ……受光量の閾値、Ｈｔ……異物付着部に対応する受光量、Ｌ，Ｌ１〜Ｌ３５……ＬＥＤ素子（光源素子）、Ｌｎ……読取ライン、Ｐ……シート
【図１】
2009124202.tif 000003
【図２】
2009124202.tif 000004
【図３】
2009124202.tif 000005
【図４】
2009124202.tif 000006
【図５】
2009124202.tif 000007
【図６】
2009124202.tif 000008
【図７】
2009124202.tif 000009
【図８】
2009124202.tif 000010